(57)【特許請求の範囲】
【請求項１】
ホログラフィック記録媒体に、複数のページが参照光の入射角度を異ならせることにより角度多重されて生成されるブックを記録する記録方法であって、
ホログラフィック記録媒体上に複数のブックを記録しようとする場合、
記録するデータがユーザーデータである場合、前記複数のブック間で誤り訂正符号を生成し、
前記生成されたブック間の誤り訂正符号を前記ユーザーデータに付加し、
記録するデータが管理情報である場合、異なるブックに同一の管理情報を記録し、
前記誤り訂正符号は、１つ以上ブックがスキップされた複数のブック間で生成され、
インターブックＥＣＣユニットであるＮ個のブックに対して、（Ｎ−１）個以下のブックのデータ群を記録する場合、１個以上のブックに相当する固定データを仮想的に挿入し、前記データ群と前記固定データに対してブック間の誤り訂正符号を生成し、
インターブックＥＣＣユニットの先頭のブックのアドレスを示す情報と、最終のブックのアドレスを示す情報を前記管理情報として記録することを特徴とする記録方法。
【請求項２】
請求項１記載の記録方法において、
生成されたブックのページ内で誤り訂正符号を生成する処理と、
前記生成されたページ内の誤り訂正符号を付加する処理と、
生成されたブックのページ間で誤り訂正符号を生成する処理と、
前記生成されたページ間の誤り訂正符号を付加する処理と、
を有することを特徴とする記録方法。
【請求項３】
請求項１記載の記録方法において、
ユーザーデータに対して付加される、ブック間の誤り訂正符号によるパリティは、独立したブックとして、ホログラフィック記録媒体上のボリュームに記録されることを特徴とする記録方法。
【請求項４】
請求項１記載の記録方法において、
前記データ群と前記固定データに対してブック間の誤り訂正符号を生成した後にデータの追記を行う場合、前記データ群を再生し、該再生されたデータ群と新たに追記するデータからブック間の誤り訂正符号の生成を行うことを特徴とする記録方法。
【請求項５】
請求項４記載の記録方法において、
前記生成された前記データ群と前記固定データに対するブック間の誤り訂正符号によるパリティは無効であることを示す情報を管理情報に記録することを特徴とする記録方法。
【請求項６】
請求項１記載の記録方法において、
前記管理情報を記録する場合、同一の管理情報を離れたボリュームに記録することを特徴とする記録方法。
【請求項７】
請求項１記載の記録方法において、
記録不良のブックに対しては他のブックに交替して交替情報を管理領域に記録する交替処理を行い、
前記アドレスを示す情報と前記交替処理の交替情報とを同じ形式で記録することを特徴とする記録方法。
【請求項８】
ホログラフィック記録媒体に、複数のページが参照光の入射角度を異ならせることにより角度多重されて生成されるブックを記録する記録装置であって、
同じボリュームもしくは略同じボリュームに複数のページを多重記録し、ブックを生成する記録処理手段と、
ページ内の誤り訂正符号を生成する第１の訂正処理回路と、
ブック内のページ間の誤り訂正符号を生成する第２の訂正符号生成回路と、
ユーザーデータに対して、ブック間の誤り訂正符号を生成する第３の訂正符号生成回路と、
管理情報に対しては、異なるブックに同一の管理情報を記録する多重記録処理手段と、
を備え、
前記第３の訂正符号生成回路は、１つ以上ブックがスキップされた複数のブック間でブック間の誤り訂正符号を生成し、
前記第３の訂正符号生成回路は、インターブックＥＣＣユニットであるＮ個のブックに対して、（Ｎ−１）個以下のブックのデータ群を記録する場合、１個以上のブックに相当する固定データを仮想的に挿入し、前記データ群と前記固定データに対してブック間の誤り訂正符号を生成し、
前記多重記録処理手段は、インターブックＥＣＣユニットの先頭のブックのアドレスを示す情報と、最終のブックのアドレスを示す情報を前記管理情報として記録することを特徴とする記録装置。
【発明の詳細な説明】
【技術分野】
【０００１】
本発明は、光情報記録方法、再生方法および記録装置に関する。
【背景技術】
【０００２】
現在、青紫色半導体レーザを用いた、Ｂｌｕ−ｒａｙ  Ｄｉｓｃ（ＢＤ）規格やＨｉｇｈ  Ｄｅｆｉｎｉｔｉｏｎ  Ｄｉｇｉｔａｌ  Ｖｅｒｓａｔｉｌｅ  Ｄｉｓｃ（ＨＤ  ＤＶＤ）規格などにより、民生用においても５０ＧＢ程度の記録密度を持つ光ディスクの商品化が可能となってきた。
【０００３】
今後は、光ディスクでも１００ＧＢ〜１ＴＢというＨＤＤ（Ｈａｒｄ  Ｄｉｓｃ  Ｄｒｉｖｅ）容量と同程度まで大容量化が望まれる。
【０００４】
しかしながら、このような超高密度を光ディスクで実現するためには、今までの様な短波長化と対物レンズ高ＮＡ化による従来の高密度技術のトレンドとは異なった新しいストレージ技術が必要となる。
【０００５】
次世代のストレージ技術に関する研究が行われる中、ホログラフィを利用してデジタル情報を記録するホログラム記録技術が注目を集めている。
【０００６】
ホログラム記録技術とは、空間光変調器により２次元的に変調されたページデータの情報を有する信号光と、参照光とを記録媒体の内部で重ね合わせ、その時に生じる干渉縞パターンによって記録媒体内に屈折率変調を生じさせることで情報を記録する技術である。
【０００７】
また情報の再生時には、記録時に用いた参照光を同じ配置で記録媒体に照射すると、記録媒体中に記録されているホログラムが回折格子のように作用して回折光を生じる。この回折光が記録した信号光と位相情報を含めて同一の光として再生される。
【０００８】
再生された信号光は、ＣＭＯＳやＣＣＤなどの光検出器を用いて２次元的に高速に検出される。このようにホログラム記録では、１つのホログラムで２次元的な情報を同時に記録／再生され、また同じ場所に複数のページデータを重ね書きすることができるため、大容量かつ高速な情報の記録再生に有効である。
【０００９】
ホログラム記録技術として、例えば特開２００４−２７２２６８号公報（特許文献１）がある。本公報には、信号光束をレンズで光情報記録媒体に集光すると同時に、平行光束の参照光を照射して干渉させてホログラムの記録を行い、さらに参照光の光記録媒体への入射角度を変えながら異なるページデータを空間光変調器に表示して多重記録を行う、いわゆる角度多重記録方式が記載されている。さらに本公報には、信号光をレンズで集光してそのビームウエストに開口（空間フィルタ）を配することにより、隣接するホログラムの間隔を短くすることができ、従来の角度多重記録方式に比べて記録密度／容量を増大させる技術が記載されている。
【００１０】
また、ホログラム記録技術として、例えばＷＯ２００４−１０２５４２号公報（特許文献２）がある。本公報には、１つの空間光変調器において内側の画素からの光を信号光、外側の輪帯状の画素からの光を参照光として、両光束を同じレンズで光記録媒体に集光し、レンズの焦点面付近で信号光と参照光を干渉させてホログラムを記録するシフト多重方式を用いた例が記述されている。
【００１１】
また、レンズシフト多重方式の一つとして規格化された標準規格ECMA-377（非特許文献１）によれば、データの信頼度を守るための誤り訂正符号としては、ページ内ではLDPC符号（LowDencity Parity-check Code）によって符号化し、ページ間ではリードソロモン符号によって符号化することによって高い信頼性を維持することが記述されている。
【００１２】
また、欠陥があった箇所を交替記録し、交替の位置関係を示すdefect listを管理情報として記録すること、特に一回記録可能なディスクにおいてはTemporary Defect  ListをTemporary  Disc Management  Areaに交替の位置情報を記録することが記載されている。
【先行技術文献】
【特許文献】
【００１３】
【特許文献１】特開２００４−２７２２６８号公報
【特許文献２】ＷＯ２００４−１０２５４２号公報
【非特許文献】
【００１４】
【非特許文献１】ECMA-377  http://www.ecma-international.org/publications/files/ECMA-ST/ECMA-377.pdf
【発明の概要】
【発明が解決しようとする課題】
【００１５】
しかしながら、ページデータが多重記録される略同一のボリュームに対し、ディスク表面に傷や汚れが付いたときは、その傷や汚れが付いたボリュームのデータが損なわれるため、非特許文献１に記載のようなページ間の誤り訂正符号をもってしても、データの信頼性が低くなるという課題がある。更には、データの信頼性を確保しながら、データの記録効率を高く保つ必要があるという課題がある。
【００１６】
そこで、本発明の目的は、データの信頼性を確保するとともに、データの記録効率を高く保つことである。
【課題を解決するための手段】
【００１７】
上記課題は、その一例としてユーザーデータに対しては、データが記録されたボリューム間で誤り訂正符号を付加し、管理情報については、異なるボリュームに同一の管理情報を少なくとも二重に記録することにより解決される。
【発明の効果】
【００１８】
本発明によれば、データの信頼性を確保するとともに、データの記録効率を高く保つことができる。
【図面の簡単な説明】
【００１９】
【図１】ホログラフィック記録媒体への記録方法を示すフローチャト。
【図２】ホログラフィック記録媒体への記録方法を示す説明図。
【図３】ホログラフィック記録媒体への記録方法を示す媒体の模擬図。
【図４】ホログラフィック記録媒体への記録方法を示すフローチャト。
【図５】ホログラフィック記録媒体への記録方法を示すフローチャト。
【図６】ホログラフィック記録媒体への管理情報の記録方法を示す説明図。
【図７】ホログラフィック記録媒体への記録方法を示すフローチャト。
【図８】ホログラフィック記録媒体へのユーザーデータの記録方法を示す説明図。
【図９】ホログラフィック記録再生装置のブロック図。
【発明を実施するための形態】
【実施例１】
【００２０】
以下、本発明の第１の実施例について図１を用いて説明する。図１は本実施例によるホログラフィック記録媒体への記録方法を記したフローチャートである。
【００２１】
本実施例では、信号光束をレンズでホログラフィック記録媒体に集光すると同時に、平行光束の参照光を照射して干渉させてホログラムの記録を行い、さらに参照光のホログラフィック記録媒体への入射角度を変えながら異なるページデータを空間光変調器に表示して多重記録を行う角度多重方式を例に扱って説明する。なお、ボリュームにページデータが角度多重されて記録されるデータ群をブックデータまたはブックと称する。また、ボリュームとは、記録媒体上の区切られた領域をいい、ホログラフィック記録媒体上には複数のボリュームがあるものとする。
【００２２】
本実施例による記録方法の処理をスタートすると(１００)、記録するデータが、管理情報か、もしくはユーザーデータかを判定する（１０１）。ここで、管理情報は、交替処理等によって更新されるユーザーデータに関する情報を含み、例えば欠陥のあるユーザーデータが記録された領域のアドレスを示す情報などが含まれる。
【００２３】
記録するデータが、ユーザーデータであると判定された場合はn個のブックに相当する量のデータを集める(１０２)。その後、n個のブックに対しブック間パリティを生成し、生成されたブック間パリティをｍ個のブックデータの構成をとるパリティブックとして構成する。そして、n個のブックに対してパリティブックを付加する(１０３)。一方、管理情報であると判定された場合は１０２、１０３の処理は行われない。
【００２４】
こうして、ブック単位にデータ、パリティがまとめられた後、ブックに含まれる複数のページデータを各ブックごとに集め、ページデータ間のパリティを生成する(１０４)。そして、各ブックデータに対し、生成されたページデータ間のパリティをそれぞれ付加する(１０４)。次に各ページ内でパリティの生成が行われ、生成されたパリティをそれぞれ各ページに付加する（１０５）。こうして各パリティの生成が終了した後、ユーザーデータであれば（１０６−ユーザーデータ）、通常の記録が行われ（１０７）、管理情報であれば（１０６−管理情報）、例えば同じデータが一つの傷で同時に破壊されないように距離をとったボリューム２箇所に同一の管理情報のデータが記録される（１０８）。記録終了でなければ（１０９-Ｎｏ）、１０１から処理を繰り返す。１０９−Ｙｅｓであれば処理を終了する。
【００２５】
次に、本実施例におけるホログラフィック記録媒体への記録方法の一例を図２を用いて説明する。図２は、角度多重されてページデータが記録されるブックデータの記録されるボリュームの配置を示した模式図である。各○印はブックデータが記録されるボリュームを示しており、ディスク状のホログラフィック記録媒体の場合、これらのボリュームが内周側かららせん状もしくは円周上に配置されている場合についての説明とする。
【００２６】
本実施例ではホログラフィック記録媒体は、管理情報が記録される領域である管理領域２００と、ユーザーデータが記録される領域であるユーザーデータ領域２０１に分割されている。管理情報が記録されるＤＭ０のブックデータは、２０２のボリュームに記録されるとともに、隣接するボリュームには記録されずに、所定の距離を離したボリューム(２０３)にＤＭ０のブックデータのコピーが記録される。これにより、一つの傷や欠陥によってデータが失われる可能性を低減できる。
【００２７】
一方、ユーザーデータ領域にはＤ０，Ｄ１，Ｄ２，Ｄ３と４個のブックデータを集める。これらに対してパリティを生成してパリティからなるブックデータＰ０(２０５)を生成して、ブック間のＥＣＣ（Error Correction Code）ユニット（以下、インターブックＥＣＣユニットという）を構成する。そして、それらをボリュームに記録していく。
【００２８】
なお、このブック間のパリティの訂正能力は、管理領域で一つの傷や欠陥によってデータが失われるのを避けようとした大きさの傷、欠陥に対して概ね訂正可能なようにすると良い。これにより、ユーザーデータの信頼性と管理情報のデータの信頼性を概ね同等とすることができる。
【００２９】
また、管理領域で多重するデータ間の距離をユーザーデータに対するパリティの訂正能力以上にすることで、管理情報の信頼性を特に高く採ることもできる。また、同一の管理情報を３つ以上多重記録しても、管理領域の信頼性を特に高く採るができる。
【００３０】
以上本実施例によれば、ユーザーデータに対しては、複数のブックを集めてブック間パリティを生成し、さらに生成したパリティからなるブックを構成し、該パリティブックを集められたブックに付加することで、ホログラフィック記録媒体上の傷に対するユーザーデータの信頼性を確保することができる。また、管理領域の多重記録される距離と同等程度の距離の傷に対して訂正可能になるように符号を生成することで、ユーザーデータを離れたボリュームに多重記録するのに比べ、データの符号効率を高く保つことができる。
【００３１】
一方、比較的データ容量が小さく、更新頻度が高い管理情報に対しては、ブックを集めて訂正ブロックの構築をするということは行わず、距離の離れたボリュームに同一の管理情報のデータを記録することで、管理情報の更新をするたびに大量のブックデータを集めることなく更新が可能となり、ライトワンスの媒体でも小さい単位での追記が可能となるため、記録効率の向上が図れる。また、同一の管理情報が所定距離離れて複数記録されるのでデータの信頼性を向上させることが可能となる。
【００３２】
なお、本実施例では、管理領域のデータすべてに対しブック間のパリティを付加せずに、記録したが、更新頻度の観点で管理領域のデータを分割して、更新頻度の低いものに対してはまとめてブック間パリティの付加を行い、更新頻度の高いものに対してはブック間パリティの付加を行わず、多重記録を行うように処理を分けてもよい。これにより、更に記録容量を有効に使えることができる。
【００３３】
また付加するパリティデータでブックを構成するので記録の開始、終了がインターブックＥＣＣユニットに達しない単位でも０データを仮想付加することなどで、ブック単位の長さで記録の開始、終了点が選択することができる。
【実施例２】
【００３４】
次に、本発明の第２の実施例を図３を用いて説明する。図３は本実施例により記録再生が行われる、ホログラフィック記録媒体を示す。図３において○印は角度多重されてページデータが記録されるブックデータの記録されるボリュームを示している。３０１,３０２,３０３,３０４,３０５,３０６はブックデータが記録されるボリュームが配置されるトラックを示す。各トラックのうち３０１は管理領域であり、３０２,３０３,３０４,３０５,３０６はユーザーデータ領域である。本図ではトラックを作図の都合上、四角形で表現したが、らせん状や円周状にすれば、ブックデータを記録する際に、位置あわせを行いやすいと言う効果がでる。
【００３５】
管理領域３０１には管理情報のデータが記録されるデータブックＤＭ０が図３上の番号１のボリュームに記録され、更にＤＭ０のコピーが番号５のボリュームに記録されており、所定の距離を離してブックデータのコピーを記録している。
【００３６】
一方、ユーザーデータエリアには、トラック３０２に１つのインターブックＥＣＣユニットが記録されている。
【００３７】
本実施例では番号１７，１９，２１，２３のボリュームにＤ０，Ｄ１，Ｄ２，Ｄ３のブックデータを書き込んでいき、それに続いてＤ０，Ｄ１，Ｄ２，Ｄ３から生成するパリティブックデータＰ０，Ｐ１をそれぞれ２５，２７のボリュームに書き込む。
【００３８】
第１の実施例と異なり１つ飛ばしの（１つずつボリュームをスキップして）ボリュームに対しインターブックＥＣＣユニットを記録することで欠陥、傷に対する耐力を向上することができる。
【００３９】
またホログラフィック記録媒体に情報を記録する記録装置では、移動、位置合わせ、静止、ブックデータの記録を繰り返す、いわゆるストップアンドゴー方式を用いることがある。この方式を用いた場合、記録媒体に対して飛び飛びに記録することが、ＤＶＤなどのビットバイビット記録の媒体より容易である。そのため、一つずつ飛ばして（ボリュームをスキップして）インターブックＥＣＣユニットを記録する場合、エンコードシステムに必要とされるインターリーブ用のＲＡＭを削減することが可能である。
【００４０】
また、パリティブックデータをＰ０、Ｐ１の２個にしたため、パリティのデータブックが一つの傷により欠損しても再生可能とすることができる。
【００４１】
すなわち、所定のボリュームをスキップしたブックデータでインターブックＥＣＣユニットを構成し、適切な訂正能力を確保できるようにＥＣＣ符号を選定することで、ユーザーデータの傷欠陥耐力の向上と更新単位を小さくできることによる管理情報の扱いの容易性とが可能となる。
【００４２】
なお、本実施例では、パリティブックデータはＰ０とＰ１の２つを生成する場合を説明したが、本発明はこれに限定されず、訂正すべき程度に応じて１つとしてもよいし、３つ以上としてもよい。
【実施例３】
【００４３】
次に、本発明の第３の実施例を図４を用いて説明する。図４は本実施例による図３に示されるホログラフィック記録媒体に対する記録方法をフローチャートに示したものであり、図２の符号も用いて説明する。
【００４４】
Ｄ０，１，２，３からパリティブックデータＰ００，Ｐ０１を生成し（４０１）、Ｄ０を番号１７のボリュームに記録（４０２）、Ｄ１を番号１９のボリュームに記録（４０３）、Ｄ２を番号２１のボリュームに記録（４０４）、Ｄ３を番号２３のボリュームに記録（４０５）、Ｐ００を番号２５のボリュームに記録（４０７）、Ｐ１０を番号２７のボリュームに記録する。
【００４５】
この状態から、もう１つのインターブックＥＣＣユニットを記録し続ける場合について以降説明する。まず、続くデータＤ４，５，６，７からパリティブックデータＰ０１、Ｐ１１を生成し（４０８）、Ｄ４を番号１８のボリュームに記録（４０９）、Ｄ５を番号２０のボリュームに記録（４１０）、Ｄ６を番号２２のボリュームに記録（４１１）、Ｄ７を番号２４のボリュームに記録（４１２）、Ｐ０１を番号２６のボリュームに記録（４１３）、Ｐ１１を番号２８のボリュームに記録（４１４）を行う。そしてこれらの記録処理に関連して管理情報の更新を番号１，５のボリュームに記録する。
【００４６】
以上、本実施例によれば、所定のボリュームをスキップして記録を進めていっても、スキップされたボリュームに対して別のブックデータを記録することにより、無駄な領域が存在しにくくなるため、データの信頼性が向上するとともに、記録効率を向上させることが出きる。
【実施例４】
【００４７】
次に、本発明の第４の実施例を図５を用いて説明する。図５は図３に示されたホログラフィック記録媒体に対する記録方法の一例をフローチャートに示したものである。
【００４８】
本実施例では、記録を終了する箇所がインターブックＥＣＣユニット単位に満たなかった場合に、どのように処理するかを示す。
【００４９】
５０１〜５０７は図４の４０１〜４０７と同様であるため説明を省略する。５０７の処理の後にＤ４，５の２ブックデータを記録して終了する場合について説明する。まず、Ｄ６，Ｄ７のブックデータはすべて０（ダミーデータ）だと仮想する。そしてＤ４，５と仮想のＤ６，７からＰ０１、Ｐ１１のブックデータを生成する（５０８）。Ｄ４を番号１８のボリュームに記録（５０９）、Ｄ５を番号２０のボリュームに記録（５１０）、Ｐ０１を番号２２のボリュームに記録（５１１）、Ｐ１１を番号２４のボリュームに記録を行う（５１２）。
【００５０】
そして、これらの記録処理に関連してインターブックＥＣＣユニットのユニット長未満で記録を行ったことを示す情報など、記録に関する管理情報の更新を番号１，５の２つのボリュームに多重記録する（５１３）。そして、記録を終了する（５１４）。
【００５１】
以上、本実施例によれば、インターブックＥＣＣユニット単位に拘束されずにブック単位で記録の終了および開始を行うことができるので、ライトワンスの媒体でも欠陥や傷に対して十分に耐力のあるインターブックＥＣＣユニットの符号長を選ぶことが容易に実現できる。
【実施例５】
【００５２】
次に、本発明の第５の実施例を図６を用いて説明する。第４の実施例で示されたとおり、インターブックＥＣＣユニットは必ず決まった長さになるとは限らないので、インターブックＥＣＣユニットの先頭、終了する番号のボリュームをブック単位で、記録に関する情報として記録する必要が生じる。本実施例はこの方法に関するものである。
【００５３】
図６にホログラフィック記録媒体への管理情報の記録方法の一例を示す。６０１は交替処理を表す管理情報のデータ構造の一例を示すものである。statusは、欠陥のある交替元と交替先をペアで表しているものや、欠陥のある交替元は示されているが交替先は指定されないものなどの交替処理の種別を示し、Defect  Adressは交替元のアドレスを示し、Replacement  Adressは交替先のアドレスを示す。ここで、交替処理をどの単位で行うのが好ましいかと言う問題がある。
【００５４】
ホログラフィック記録媒体では記録データに対して定着処理（ポストキュア）が必要である場合がある。ここで、定着処理（ポストキュア）とは、ホログラフィック記録媒体内の所望の位置に情報を記録した後、該所望の位置に追記不可能とするために所定の光ビームを照射する工程である。定着処理（ポストキュア）は少なくとも角度多重されたブック単位以上で行うことが必要であること、また、ブックはページデータが多数に渡って角度多重されたデータ群であり、ブルーレイのクラスタなどに比べると大きな単位であることから、ポストキュアの最小単位であるブック単位で交替処理を行う。その状態を、図６に示す。
【００５５】
６０２はインターブックＥＣＣのパリティのブックのボリューム番号をすべてリストアップする形式を示したものである。また、６０３はインターブックＥＣＣユニットの先頭のアドレスを示し、６０４はインターブックＥＣＣユニットの最後のアドレスを示すものである。
【００５６】
これらの形式のデータを記録が終了するごとにまとめて管理領域に登録することで、第４の実施例の場合のようにインターブックＥＣＣユニットのユニット長未満で記録を行った場合などに対しても対応が可能となる。
【００５７】
また、交替処理に関するリスト形式とＥＣＣの位置のリスト形式を揃えることで、つまり、交替処理に関する位置とＥＣＣに関する位置をブック単位で表すことにより、記録後のべリファイチェックによる品質チェック結果に対応することを主とする交替処理と、その後の保存時での傷に対する対応を主とするインターブックＥＣＣを組み合わせることができるため、データ品質の維持を実現することができる。
【００５８】
また、傷が増えてインターブックＥＣＣでデータ品質が不足してきた場合に、再度交替処理を加えることができる。
【実施例６】
【００５９】
次に、本発明の第６の実施例について説明する。図７は、図３に示されたホログラフィック記録媒体に対する記録方法の一例をフローチャートに示したものであり、図５のフローチャートによって示される処理でブックデータＤ５まで一旦記録を行って記録を終了した後、追記を如何に行うかを示したものである。
【００６０】
本実施例では、図５に示される記録が終了した状態のホログラフィック記録媒体に対して、Ｄ６、Ｄ７のデータを追記する例を示す。
【００６１】
まずＤ４のブックデータを番号１８のボリュームから読み出す(７０１)。次にＤ５のブックデータを番号２０のボリュームから読み出す(７０２)。読み出したＤ４，Ｄ５のブックデータと新たに追記のため入力されたＤ６，Ｄ７のブックデータからパリティブックデータＰ０１，Ｐ１１を再生成する（７０３）。次に、Ｄ６を番号２６のボリュームに記録（７０４）、Ｄ７を番号２８のボリュームに記録（７０５）する。
【００６２】
次に７０３で再生成されたＰ０１を番号３０のボリュームに記録する（７０６）。同様に７０３で再生成されたＰ１１を番号３２のボリュームに記録する（７０８）。そして、これらの記録処理に関連して新しいインターブックＥＣＣユニットの先頭アドレスと最終アドレスとともに、番号２２と番号２４に記録された追記前のP０１、P１１を無効にする情報など、記録に関する管理情報の更新を図６に示される形式などに従って番号２，６の２つのボリュームに記録する（７０９）。
【００６３】
以上、本実施例によればインターブックＥＣＣユニット単位に満たないブック単位で記録の終了を行われた後に追記する際に、ライトワンス媒体においてもインターブックＥＣＣユニット単位に記録しなおすことができる。そのため追記された媒体は、インターＥＣＣブロック単位のＥＣＣ処理を効率よく行え、再生速度を高く保つことを可能とする。
【００６４】
また、本実施例によれば、インターＥＣＣブロック単位以下で記録されたデータが例えばａ，ｂ，ｃと続いたとき、ａ，ｂ，ｃのそれぞれごとに仮想データをあわせてＥＣＣ処理を行わなければいけなくなることにより、再生処理の負担が重くなり、再生速度が遅くなる可能性を低減できる。
【００６５】
また、追記前のパリティブックデータを無効にする情報を管理情報に記録することにより、追記前のパリティブックデータを誤って再生することは無い。ここで、無効にする情報としては、例えば追記前のパリティブックデータは欠陥があるものとして取り扱い、そのデータのアドレスを示す交替処理情報を管理情報に記録してもよい。
【００６６】
次に、各実施例のＥＣＣの各配置についての一例を説明する。図８は、角度多重方式のホログラフィック記録において、複数のブックを集めてＥＣＣを付加する場合の各ＥＣＣの配置について示した模式図である。ここで、イントラページＥＣＣはページ内のＥＣＣを示し、インターページＥＣＣはページ間のＥＣＣを示し、インターブックＥＣＣはブック間のＥＣＣを示す。
【００６７】
図８を用いてパリティブックを付加してインターブックＥＣＣを構成する方法を、インターページＥＣＣ、イントラページＥＣＣとの関係とあわせて説明する。
【００６８】
８０３はインターブックＥＣＣである。複数のブックを集めて図のように同じページの同じ関係のデータ（例えば、同じ参照光角度で角度多重されたデータや個々のページデータが有するページ数などを示すヘッダー情報が同じデータ）を集めて複数のＥＣＣブロックを構成して（各２点破線が１個のＥＣＣブロックを示す）Ｐａｒｉｔｙをデータに付加する。付加されたパリティはパリティブックの同じページに付加することにして、パリティブックを構成する。
【００６９】
次に、８０２に示されるインターページＥＣＣがデータに付加される。インターページＥＣＣは各ページから略同数のデータを集めて複数のＥＣＣブロック（各一点破線が１個のＥＣＣブロックである）を構成し、各ＥＣＣブロックにパリティを付加する。
【００７０】
８０１はイントラページＥＣＣの付加を示す。８０１ではページ内のデータを一定数ずつ集めて複数のＥＣＣブロック（各実戦が１個のＥＣＣブロックを示す）に分割してＥＣＣをデータに付加する。
【００７１】
以上、ここでは、ＥＣＣの付加について説明した。各ＥＣＣの符号の種類については、ホログラフィック記録媒体に記録するデータの記録密度を高くするためには、訂正能力は高いが誤訂正の確率が比較的品質の良い状況から想定されるＬＤＰＣ（Ｌｏｗ  Ｄｅｎｃｉｔｙ  Ｐａｒｉｔｙ−ｃｈｅｃｋ  ｃｏｄｅ）をイントラページＥＣＣとして用い、誤訂正の確率が比較的品質の良い状況から存在するＬＤＰＣの特性を補うためにリードソロモン符号をインターページＥＣＣに用い、インターブックＥＣＣには対バースト性を考えてリードソロモン符号を用いることが有効である。ただし、本発明はこれに限定されるわけではない。
【００７２】
また、ここでは、インターブックＥＣＣで各ブックの同じページ、ページ内の同じ位置関係のデータを集めてＥＣＣブロックを生成する例を示したが、これは、構成方法をもっとも簡単にした場合である。各ブックの違うページ、違う位置関係のデータと組み合わせることで処理は複雑化するが、角度多重記録において特定の角度の記録に問題が生じる場合や、読み出し装置の一種であるＣＣＤの欠陥などにより読み出し時に特定のドットがエラーとなるような場合に対してのエラー耐性を高くすることが可能となる。
【００７３】
また、インターブックＥＣＣとインターページＥＣＣで同じ種類の訂正符号を用い、符号長を共通化し、それぞれで分割するＥＣＣブロックの数も略同一とし、インターブックＥＣＣの生成とインターページＥＣＣの生成を同時ではなく逐次行うシステムとすれば、必要となるインターリーブ用のメモリなどを一つにできシステムの簡略化に有効である。
【００７４】
次に各実施例のホログラフィック記録再生装置の一例を図９を用いて説明する。図９は本発明の１実施例であるホログラフィック記録再生装置を示す図である。図９において、９００はホログラフィック記録媒体であり、９０１はホログラフィック記録媒体を回転させるディスクモーターであり、９０２は記録信号から信号光を照射させる光ピックアップであり、９０３は、９０２から出射された参照光の位相共役光を位相共役光学系１２にて生成する位相共役光学系である。ここで位相共役光とは、入力光と同一の波面を保ちながら逆方向に進む光波のことである。
【００７５】
９０４は記録済のブックデータに対して定着光を照射させるためのディスクｃｕｒｅ光学系であり、９０５は、９０２、９０３、９０４の各光学系を目的の箇所に移動させるアクセス制御回路であり、９０６は光ピックアップ９０２、ディスクｃｕｒｅ光学系９０４のレーザーを駆動する光源駆動回路である。
【００７６】
９０７はディスクモータ９０１の回転制御、光ピックアップ９０２の位置制御、フォーカス制御などを行うサーボ制御回路であり、９０８はディスクｃｕｒｅ光学系９０４の光束系を連続記録中と記録停止／開始で変更することによって、連続記録時のみ光束系を大きくとって定着処理を高速化したりするのに用いられる光束径制御回路である。
【００７７】
９０９は外部機器との間で記録データもしくは再生データのやり取りを行うインターフェース回路であり、９１０はＥＣＣの付加や変調処理などを行う信号生成回路であり、記録時に上記実施例などで示されたパリティの生成処理などを行う信号生成回路である。
【００７８】
信号生成回路９１０は、ページ内訂正符号生成回路９１１、ページ間訂正符号生成回路９１２、ブック間訂正符号生成回路９１３、生成処理用バッファＲＡＭ９１４を含んでいる。入力されたユーザーデータは一旦再生処理用バッファＲＡＭ９１４に蓄えられる。生成処理用バッファＲＡＭ９１４に蓄えられたデータに対しては、読み出されて以下に記する各訂正符号付加処理が行われる。ページ内訂正符号生成回路９１１とぺージ間訂正符号生成回路９１２はすべてのブックに対して訂正符号の生成処理を行う。
【００７９】
一方、ブック間訂正符号生成回路９１３は、ユーザーデータ記録領域の入力されたユーザーデータに対して生成処理を行い、管理情報に対しては生成処理を行わない。管理情報のデータはページ内訂正符号生成回路９１１とぺージ間訂正符号生成回路９１２で訂正符号が付加された後は、多重処理回路９３０の制御に従って、同じデータがコピーされて２ブック分のデータが用意され、アクセス制御回路９０５で多重書きするするデータの位置を制御し、同じブックデータが管理領域上の２つの異なるボリュームに記録される。
【００８０】
一方、９２０は復調処理や誤り訂正処理などを行う信号再生処理回路であり、再生時に上記実施例などで示されたライトが行われたデータを再生することにより誤り訂正などを行う。信号再生処理回路９２０は、ページ内訂正処理回路９２１、ページ間訂正処理回路９２２、ブック間訂正処理回路９２３、再生処理用バッファＲＡＭ９２４を含んでいる。光ピックアップから再生されたデータは一旦、再生処理用バッファＲＡＭに蓄えられる。再生処理用バッファＲＡＭ９２４に蓄えられたデータに対しては、読み出されて以下に記する各訂正処理が行われる。ページ内訂正処理回路９２１、ページ間訂正処理回路９２２は、すべてのブックの再生で訂正処理を行う。
【００８１】
一方、ブック間訂正処理はユーザーデータ領域のユーザーデータに対しては訂正処理を行うが、管理情報に対しては訂正処理を行わない。管理情報のデータはページ内訂正処理回路９２１とぺージ間訂正処理回路９２２で訂正処理がなされるとともに、多重処理回路９３０の制御によって、多重書きされたデータがアクセス制御回路９０５との協調で管理領域上の２つの異なるボリュームから読み出される。読み出された２つの管理情報が両方訂正不能でない場合は、両者が一致するか否かを判別し、一致すれば一致した内容で管理情報を読み出す。これにより管理情報の読み出しの確実性を上げることができる。一方の管理情報が訂正不能でデータを読み出すことができないような場合は、訂正不能でない方の情報を読み取る。これにより、可読性をあげることができる。
【００８２】
以上、これによれば前述の各実施例を実現する回路を提供することができる。
【００８３】
なお、もちろん上記各実施例は適宜組み合わせてもよい。
【００８４】
また、上記実施例において管理情報を更新するたびに、同一の管理情報をホログラフィック記録媒体に二重に記録したが、管理情報のデータ量がブック単位を満たすまでは例えばホログラフィック記録再生装置内のメモリ（例えば、生成処理用バッファRAM９１４）に管理情報を保持しておき、管理情報の更新がなされ、管理情報のデータ量がブック単位を満たした場合、同一の管理情報をホログラフィック記録媒体に二重に記録してもよい。これにより更に記録効率を高めることができる。また、記録媒体にメモリを添付し管理情報のデータ量がブック単位を満たすまで、該メモリが保持することで同様の効果が得られる。
【００８５】
また、上記実施例において、管理情報については同一の管理情報を２つ以上記録する場合を示したが、上記実施例でいう同一とは、必ずしも全ての情報が同一である必要はなく、管理情報の中でも特に重要となる情報、例えば欠陥管理情報等を少なくとも２重以上に記録してもよい。
【符号の説明】
【００８６】
１０３    ブック間パリティ符号生成
１０４    ページ間パリティ符号生成
１０５    ページ内パリティ符号生成
１０８    データ多重記録
９００    ホログラフィック記録媒体
９０１    ディスクモーター
９０２    光ピックアップ
９０３    位相共役光学系
９０４    ディスクｃｕｒｅ光学系
９０５    アクセス制御回路
９０６    光源駆動回路
９０７    サーボ制御回路
９０８    光束径制御回路
９０９    インターフェース回路
９１０    信号生成回路
９１１    ページ内訂正符号生成回路
９１２    ページ間訂正符号生成回路
９１３    ブック間訂正符号生成回路
９１４    生成処理用バッファRAM
９２０    信号再生処理回路
９２１    ページ内訂正処理回路
９２２    ページ間訂正処理回路
９２３    ブック間訂正処理回路
９２４    再生処理用バッファRAM
９３０    多重処理回路
【図１】
0005581142.tif 000002
【図２】
0005581142.tif 000003
【図３】
0005581142.tif 000004
【図４】
0005581142.tif 000005
【図５】
0005581142.tif 000006
【図６】
0005581142.tif 000007
【図７】
0005581142.tif 000008
【図８】
0005581142.tif 000009
【図９】
0005581142.tif 000010